(57)【要約】【課題】浄水剤の乾燥による劣化を防ぎ、効率よく水を浄水し、且つメンテナンス性に優れた浄水器を提供する。【解決手段】浄水器２の上方には給水容器１の収容部１１が設けられ、収容部１１の一部には凹形状の受口１２が設けられている。受口１２の内底部には給水容器１の弁棒９を押し上げて開閉弁１０を開口せしめる突部１３が設けられている。浄水部２４の上面及び底面には通水フィルター１５、１６が設けられ、浄水剤１４を保持している。下流側の通水フィルター１６と浄水器２の底面の間には所定の間隔が設けられている。隔壁１７は上流側の通水フィルター１５以上の高さとなるよう構成され、浄水部２４の周囲と隔壁１７の間には所定の間隙２５が設けられている。【選択図】      図１
2004290841.tif 000002
【特許請求の範囲】
【請求項１】
水を給水する給水容器と、該給水容器の下部に位置し前記給水容器より給水される水を浄水する浄水剤を内部に収容した浄水部とを備えてなる浄水器において、前記浄水剤を水に浸漬する浄水剤浸漬容器を前記浄水器と一体構成し、且つ浄水された水は前記浄水剤より高い位置を通過して前記浄水剤浸漬容器から外部に供出されることを特徴とする浄水器。
【請求項２】
前記給水容器より給水され前記浄水部を通過して浄水された水は、前記浄水部と前記浄水剤浸漬容器を形成する隔壁との間隙を通って外部に供出されることを特徴とする請求項１に記載の浄水器。
【請求項３】
前記浄水剤を保持し且つ水を通水する通水フィルターを、浄水順路の上流側と、浄水順路の下流側とに備えて成ることを特徴とする請求項１又は請求項２に記載の浄水器。
【請求項４】
前記給水容器の下部より前記浄水部の底部に貫通し水を通水する通水管を備え、前記給水容器より給水される水は前記通水管を通って前記浄水部の底部から上部に向かって浄水され、前記浄水剤浸漬容器は前記浄水部の外殻を兼用したことを特徴とする請求項１に記載の浄水器。
【請求項５】
前記浄水剤を保持し且つ水を通水する通水フィルターを、浄水順路の上流側においては前記通水管側面下部の少なくとも一部に備え、浄水された水は下流側の前記通水フィルターを通って外部へ供出されることを特徴とする請求項４に記載の浄水器。
【請求項６】
前記浄水部は、上部に前記給水容器を装着する受口を備え、前記給水容器と着脱自在に構成されて成ることを特徴とする請求項１〜請求項５のいずれかに記載の浄水器。
【発明の詳細な説明】
【０００１】
【発明の属する技術分野】
本発明は、浄水器に関し、特に蒸気発生器などにおいて好適な水を浄水し供出する浄水器に関するものである。
【０００２】
【従来の技術】
従来、食品の湿度を保持した調理を行うために用いられる蒸気発生手段を備えた調理器や、室内の空気を加湿するために用いられる加湿器においては、水道水を使用して水蒸気を発生させている。この際、水道水中に含まれるカルシウムやマグネシウムなどのミネラル分が主に炭酸塩となって析出し、これが蒸気発生手段や水蒸気導出通路内にスケールとして堆積し、蒸気発生手段の熱伝導効率が低下したり、水蒸気導出通路を詰まらせるという問題点があった。このため、長期間使用する時は、堆積したスケールを定期的に除去する作業が必要となるが、このスケールは強固に付着しているため除去が困難であった。
【０００３】
上記問題点を解決するため、従来よりイオン交換樹脂を用いてミネラル分を除去する方法が提案されており、例えば実開平１−１１６３３９号、特開２０００−２７９９５３号公報等において、イオン交換樹脂等を使用した浄水ユニットを設け、水道水からミネラル分を除去することにより、スケールの堆積を防止する方法が開示されている。
【０００４】
【実用新案文献１】
実開平１−１１６３３９号公報
【特許文献２】
特開２０００−２７９９５３号公報
【０００５】
【発明が解決しようとする課題】
しかしながら、上記の実開平１−１１６３３９号公報においては、浄水ユニットの上部に位置する給水タンクから給水された水が浄水ユニット上面の給水口から浄水ユニット内部を通過し底面の給水出口より外部へ供給される構成としているため、給水容器への水の供給を怠ると浄水ユニット内の水が枯渇し、浄水剤が乾燥して浄水性能が劣化するなどの問題があった。また、特開２０００−２７９９５３号公報においては、長期間の使用により浄水性能が低下した場合、浄水ユニットを塩水に浸し浄水剤を再生する方法が開示されているが、浄水ユニットが加湿器本体の一部に収容され、浄水ユニットを浸漬する容器が加湿器本体と一体に構成されているため、浄水ユニットを取り外し浄水剤の再生処理を行う際、別途塩水を入れた容器を準備する必要があり、メンテナンス性の点で十分なものとはいえなかった。
【０００６】
【課題を解決するための手段】
上記課題を達成するため、本発明は、水を給水する給水容器と、該給水容器の下部に位置し前記給水容器より給水される水を浄水する浄水剤を内部に収容した浄水部とを備えてなる浄水器において、前記浄水剤を水に浸漬する浄水剤浸漬容器を前記浄水器と一体構成し、且つ浄水された水は前記浄水剤より高い位置を通過して前記浄水剤浸漬容器から外部に供出されることを特徴とする。尚、前記「浄水剤より高い位置」の解釈においては浄水剤の高さ位置を含むものとする。
【０００７】
この構成によると、浄水器内の浄水剤が常に水に浸漬した状態を維持できるため、長期運転に伴い給水容器及び浄水器内の水が枯渇しても、浄水器内の浄水剤の乾燥による劣化が抑制できる。また、浄水器に浄水剤浸漬容器が一体構成され、浄水剤を再生する際別途容器を必要としないため浄水器自体のメンテナンス性も向上する。
【０００８】
また本発明は、上記構成の浄水器において、給水容器の下部より前記浄水部の底部に貫通し水を通水する通水管を備え、前記給水容器より給水される水は前記通水管を通って前記浄水部の底部から上部に向かって浄水され、前記浄水剤浸漬容器は前記浄水部の外殻を兼用したことを特徴とする。
【０００９】
この構成によると、浄水部の外殻を浄水剤浸漬容器と兼用したことにより浄水剤浸漬容器を別途設ける必要がなく、浄水器の構造を簡素化することができる。更に浄水順路を浄水部の底部から上部に向けたことにより浄水部を浄水器の上部まで広げることが可能となるため浄水剤の収容量が大幅に増加し、浄水能力が向上する。
【００１０】
また本発明の浄水器は、浄水部が給水容器と着脱自在に構成されてなることとした。これにより、浄水剤の再生，交換等の際浄水器のみを取り外すことができ、更にメンテナンス性が向上する。
【００１１】
【発明の実施の形態】
以下に本発明の第１実施形態を図面を参照して説明する。図１は本実施形態の浄水器を備えた蒸気発生器を示す概略図である。図１において、１は水を収容する着脱自在な給水容器である。給水容器１の上部には水道水等を給水する給水口５が設けられ、キャップ６により開閉自在に構成されている。給水容器１の底部には貯留した水を外部へ供給する供給口７が設けられている。この給水口７は大径部３０ａと小径部３０ｂとから成る段差部材３０によって形成されており、段差部材３０は給水容器１の下端に設けられた突出部１ａに装着されている。１０は供給口７からの水の流出を制御する断面が三日月状の開閉弁であり、弁棒９に固定されている。２６は弁棒９の支持部材であり、弁棒９の直径よりも大きいガイド穴（図示せず）を備え、供給口７内に固定されている。８は開閉弁１０の開閉動作を制御するスプリングであり、弁棒９はスプリング８及び支持部材２６のガイド穴を貫通し上下に摺動可能に支持されている。本実施形態では支持部材２６はガイド穴を弁棒９が貫通する構成としたが、これに限定されるものではなく、弁棒９を上下に摺動可能に支持できるものであればよい。
【００１２】
開閉弁１０の開閉する仕組みを図２により詳細に説明する。図２は給水容器１の供給口７付近の断面拡大図である。図において、支持部材２６は弁棒９を支持するガイド穴を備え、供給口７内において図面表裏方向の壁面の少なくとも一方に固定されている。弁棒９はスプリング８及び支持部材２６のガイド穴を貫通し、上下に摺動可能に支持されており、支持部材２６を挟んでスプリング８と反対側には開閉弁１０が固定されている。弁棒９の下端にはスプリング８の直径より大きい径大部９ａが設けられ、スプリング８は弁棒９の径大部９ａと支持部材２６の間に狭持されている。
【００１３】
通常の状態では図２（ａ）に示すようにスプリング８の弾性力により弁棒９が下へ引き下げられるため、弁棒９に固定された開閉弁１０は供給口７の内部に押しつけられ、供給口７は閉口となっている。次に、給水容器１を後述する突部１３を有する浄水器２へ装着するなどして弁棒９が上へ押し上げられた場合、図２（ｂ）に示すように押圧によりスプリング８が収縮し、弁棒９と共に開閉弁１０も上へ上がるため、供給口７は開口する。更に、給水容器１を取り外すと、スプリング８にかかる押圧が無くなるため再び図２（ａ）の状態に戻り、供給口７は閉口する。
【００１４】
スプリング８を配置しなくても開閉弁１０は重力により供給口７を閉じることが可能であるが、給水容器１を取り外す際、供給口７より水が漏れないようにするため開閉弁１０の閉動作を俊敏に行う必要がある。また、給水容器１単体で移動等する場合、振動や衝撃などにより開閉弁１０が上へ上がり、供給口７が開いてしまうおそれもある。しかし、スプリング８を配置することにより開閉弁１０の閉動作を俊敏かつ確実なものとし、弁棒９及び開閉弁１０の不必要な動きを防止することができ、給水容器１の取り扱いが容易となる。
【００１５】
２は供給口７より供給された水を浄水する浄水器であり、その上方には給水容器１を収容する収容部１１が給水容器１の底部に沿った形状で設けられ、収容部１１の中央部には給水容器１の供給口７を挿入可能な凹形状の受口１２が設けられている。受口１２の内底部には給水容器１を装着した際に給水容器１の弁棒９を押し上げて開閉弁１０を開口せしめる突部１３が設けられている。また、受口１２の側面下方には通水孔２１が設けられ、給水容器１の水は供給口７より通水孔２１を通って後述する浄水部へ供給される。
【００１６】
１４は浄水剤であり、受口１２の下方の浄水部２４に収容されている。浄水剤としては種々のイオン交換樹脂等が用いられるが、殺菌性イオン交換樹脂又はイオン交換樹脂と殺菌剤との混合物等を使用すると、浄水器２内に貯留されている水中の雑菌の繁殖が抑制されるためより好ましい。浄水順路の上流側すなわち浄水部２４の上面と、浄水順路の下流側すなわち浄水部２４の底面には浄水剤１４の粒径よりも小さな細孔を有するメッシュ状の通水フィルター１５、１６が設けられ、浄水剤１４を保持している。下流側の通水フィルター１６と浄水器２の底面の間には所定の間隔が設けられている。なお、本実施形態では通水フィルター１５、１６はそれぞれ浄水部２４の上面及び底面全体に配置されているが、上面及び底面の一部のみに配置してもよい。
【００１７】
１７は浄水器２の底面から上方に設けられた隔壁であり、上流側の通水フィルター１５以上の高さとなるよう構成され、浄水部２４の外周面全体を覆っている。浄水部２４の外周面と隔壁１７の間には所定の間隙２５が設けられ、浄水器２の底面と隔壁１７により浄水剤浸漬容器を形成している。浄水部２４により浄水された水は下流側の通水フィルター１６と浄水器２の底面との間隙、及び間隙２５を通り、隔壁１７の上端から外部に供出される。このとき隔壁１７は浄水剤１４より高い位置（浄水剤１４と同じ高さ位置でもよい）まで設けられているため、給水容器１内の水が枯渇しても浄水剤１４は絶えず水に浸された状態を維持し、乾燥による浄水性能の劣化を防ぐことができる。
【００１８】
次に、本実施形態の浄水器を利用した蒸気発生器の動作について説明する。ここでは給水容器１及び浄水器２は予め水供給通路４に装着されているものとする。先ず、給水容器１を取り外し、キャップ６を開け給水口５より水道水などを給水して再度キャップ６を閉める。このとき、給水容器１単体では開閉弁１０はスプリング８の弾性力により供給口７を閉口しているため外部への水の流出はない（図２（ａ）参照）。
【００１９】
次いで、水を収容した給水容器１を、供給口７が収容部１１に設けられた受口１２に挿入されるように浄水器２の収容部１１に装着する。このとき、図２（ｂ）に示したように受口１２内の突部１３によって給水容器１の弁棒９及び開閉弁１０が押し上げられ、供給口７が開口し給水容器１内の水が通水孔２１を介して浄水器２内へ流入する。流入した水は上流側の通水フィルター１５、浄水剤１４、下流側の通水フィルター１６を順次通過して浄水され、下流側の浄水フィルター１６と浄水器２の底面との間隙を満たし、間隙２５を通って上方へ流れ、隔壁１７を越えて水供給通路４内へ供出される。
【００２０】
浄水された水は、水供給通路４から蒸気発生部３へ供給され、蒸気発生部３の外周に巻き付けられたヒーター１８により加熱されて水蒸気となり、水蒸気導出通路２７を通って蒸気発生口２８より外部へ放出される。１９は水蒸気導出通路２７内に設けられた突沸防止板であり、煮沸音を静音化し、外部への熱水の飛び出しを抑制する。２３は水供給通路４内の水位レベルにより作動するフロートセンサであり、水供給通路４内の水量が減少し、蒸気発生部３における水位が低下することによるヒーター１８の空焚きを防止する。
【００２１】
なお、ヒーター１８は本実施形態のように蒸気発生部３の外周に巻き付けたものでも良いが、内部に浸漬する投げ込みヒーターとしても良い。また、蒸気発生部３はヒーターによる加熱方式に限定されるものではなく、超音波振動子を利用した方式及びその他の方式による蒸気発生手段を用いても良い。
【００２２】
次に、本実施形態の浄水器における浄水剤の再生方法について説明する。長期間の使用により浄水部２４内の浄水剤１４の浄水性能が低下した場合、浄水剤として使用するイオン交換樹脂が、付着したカルシウムイオン、マグネシウムイオン等をナトリウムイオンと交換可能なものであれば塩水に浸すことで再生が可能である。図３に示すように給水容器１、浄水器２の順に水供給通路４から取り外し、浄水器２の受口１２より塩水を供給し、浄水器２内部の水を塩水に置換して浄水剤１４を所定時間塩水に浸すことにより浄水剤１４の再生を行う。このとき浄水部２４の外周部に設けられた隔壁１７の上端部から塩水が溢れるまで供給することにより浄水剤１４の上面まで塩水に浸漬される。このように浄水剤１４が塩水に浸漬する状態を維持できる構成としたことにより、別途容器を必要とせず浄水剤１４の再生処理が可能となる。
【００２３】
次に本発明の第２実施形態を図面を参照して説明する。図４は本実施形態の浄水器を示す概略構成図であり、第１実施形態の浄水器において浄水部２４の構造を変えたものである。その他の構成は第１実施形態と同様であるため、説明は省略する。図４においては、上流側の通水フィルター１５は浄水部２４の側面上部の少なくとも一部に配置され、浄水部２４の上面は閉じられている。また、下流側の通水フィルター１６は浄水部２４の底面に配置されている。２０は一部が開口した板状の通水制御板であり、上流側の通水フィルター１５と下流側の通水フィルター１６の間に少なくとも一枚以上設けられている。
【００２４】
この構成では、浄水される水は通水孔２１を通って浄水部２４の上面に流出され、さらに浄水部２４の側面上部に回り込んで上流側の通水フィルター１５を通過して浄水部２４内に浸透し、通水制御板２０により浄水剤１４にゆっくりと接触しながら浄水部２４の上部を内側に向かって横方向に流れ、通水制御板２０の開口部より浄水部２４の下部へ移動して浄水部２４の底面に配置された下流側の通水フィルター１６を通過して浄水される。このため、第１実施形態に比べ浄水処理される水が流れる経路が長くなり、接触する浄水剤量が多くなるため浄水効率が良くなる。
【００２５】
次に本発明の第３実施形態を図面を参照して説明する。図５は本実施形態の浄水器を示す概略構成図であり、第２実施形態と同様に浄水部２４の構造を変えたものである。その他の構成は第１実施形態と同様であるため、説明は省略する。図５においては、浄水部２４は浄水器２の底面上に間隔を設けず当接して配置されており、上流側の通水フィルター１５は浄水部２４の上面に配置され、下流側の通水フィルター１６は浄水部２４の側面下部の少なくとも一部に配置されている。また、第２実施形態と同様に通水制御板２０が上流側の通水フィルター１５と下流側の通水フィルター１６の間に少なくとも一枚以上設けられている。
【００２６】
この構成では、水は通水孔２１を通って浄水部２４の上面に供給され、上流側の通水フィルター１５を通過して浄水部２４内に浸透し、通水制御板２０の開口部より浄水部２４の下部へ移動して浄水剤１４にゆっくりと接触しながら浄水部２４の下部を外側に向かって横方向に流れ、浄水部２４の側面下方に配置された下流側の通水フィルター１６を通過して浄水される。このため、第１実施例に比べ浄水処理される水が流れる経路が長くなり、浄水効率が良くなる。また、浄水部２４と浄水器２の底面との間に間隔を設ける必要がないため、その分浄水部２４の容積が大きくなり、第１、第２実施形態よりも浄水剤１４の収容量を多くすることが可能となる。
【００２７】
次に本発明の第４実施形態を図面を参照して説明する。図６は本実施形態の浄水器を示す概略構成図であり、第２、第３実施形態と同様に浄水部２４の構造を変えたものである。その他の構成は第１実施形態と同様であるため、説明は省略する。図６においては、浄水部２４は第３実施形態と同様に浄水器２の底面上に間隔を設けず当接して配置されている。上流側の通水フィルター１５は浄水部２４の側面上部の少なくとも一部に配置され、浄水部２４の上面は閉じられている。また、下流側の通水フィルター１６は浄水部２４の側面下部の少なくとも一部に配置されている。また、第２、第３実施形態と同様に通水制御板２０が上流側の通水フィルター１５と下流側の通水フィルター１６の間に少なくとも一枚以上設けられている。
【００２８】
この構成では、水は通水孔２１を通って浄水部２４の上面に供給され、さらに浄水部２４の側面上部に回り込んで上流側の通水フィルター１５を通過して浄水部２４内に浸透し、通水制御板２０により浄水剤１４にゆっくりと接触しながら浄水部２４の上部を内側に向かって横方向に流れる。更に通水制御板２０の開口部より浄水部２４の下部へ移動して浄水部２４の下部を外側に向かって横方向に流れ、側面下部の下流側の通水フィルター１６を通過して浄水される。これにより第３実施形態に比べ更に浄水処理される水の流れる経路が長くなるため接触する浄水剤量が多くなり、浄水効率がより向上する。また、第３実施形態と同様に浄水部２４と浄水器２の底面との間に間隔を設ける必要がないため、浄水剤１４の収容量を多くすることが可能となる。
【００２９】
なお、上記の第１〜第４実施形態では、浄水部２４の外周部全体に隔壁１７を設け、隔壁１７と浄水器２の底面により浄水剤浸漬容器を形成したが、隔壁を浄水部２４の外周部の一部にのみ形成し、浄水された水が浄水部２４の外周面と隔壁により形成される導水路を通って外部に誘導される構成としてもよく、また導水路を浄水部２４の内部に設けてもよい。これらの場合、浄水部２４は浄水剤浸漬容器を兼ねることとなる。
【００３０】
次に本発明の第５実施形態を図面を参照して説明する。図７は本実施形態の浄水器を示す概略構成図であり、第１実施形態の浄水器において浄水部２４及びその周囲の構造を変えたものである。その他の構成は第１実施形態と同様であるため、説明は省略する。
【００３１】
図７は受口１２の下方に浄水部２４の底部に貫通する通水管２２を設け、更に通水管２２と受口１２の間に通水孔２１を設けて、受口１２及び通水管２２の周囲に浄水部２４を配置し浄水剤１４を収容する構成としたものである。通水管２２の側面下部の少なくとも一部を開口し、該開口部に上流側の通水フィルター１５が配置され、下流側の通水フィルター１６は浄水部２４の側面上部の少なくとも一部に配置されている。２９は浄水器２の外周面と所定の間隙を開けて設けられた隔壁であり、下流側の通水フィルター１６の下端から浄水部２４と同等以上の高さまでＬ字型に突出し、通水フィルター１６を覆っている。浄水部２４の内部には通水制御板２０が少なくとも一枚以上設けられている。
【００３２】
この構成によると、浄水される水は通水孔２１及び通水管２２を通って浄水部２４の底部に流出され、通水管２２の開口部に配置された上流側の通水フィルター１５を通過して浄水部２４内に浸透し、浄水剤１４に接触しながら浄水部２４の上部に向かって流れ、浄水部２４の側面上部に配置された下流側の通水フィルター１６を通過して浄水される。このとき、通水孔２１の面積を通水管２２の開口部よりも小さくすると、浄水部２４内を水がゆっくりと流れ、十分に浄水が行われるためより好ましい。このように浄水順路を浄水部２４の下部から上部へ向けることにより、浄水剤に接触する水がより均等となり、浄水剤１４の浄水性能を効率良く使い切ることができる。
【００３３】
また、浄水部２４を受口１２の下方のみでなく側方周囲にも設けることが可能となるため浄水剤１４の収容量が大幅に増加し、更に通水制御板２０によって浄水処理される水が横方向にも流れるため浄水経路が長くなり浄水効率が良くなる。また、浄水部２４が浄水剤浸漬容器を兼ねているため、第１〜第４実施形態に比べ浄水器の構造を簡素化することができる。また、隔壁３０により浄水剤１４の上部まで常に水に浸漬しているため、浄水剤１４の乾燥による劣化を防ぐことができる。なお、本実施形態では浄水部２４の内部に通水制御板２０を設けたが、通水制御板２０を設けない構成とすることも可能である。
【００３４】
次に本発明の第６実施形態を図面を参照して説明する。図８は本実施形態の浄水器を示す概略構成図であり、第５実施形態の浄水器において上流側の通水フィルター１５の配置を変えたものである。その他の構成は第５実施形態と同様であるため、説明は省略する。図８においては、上流側の浄水フィルター１５は浄水部２４の下面に浄水器２の底面と所定の間隙を設けて配置され、下流側の通水フィルター１６は浄水部２４の側面上部の少なくとも一部に配置されている。
【００３５】
この構成では、浄水される水は通水孔２１及び通水管２２を通って浄水部２４の下面と浄水器２の底面との間隙全体に広がり、浄水部２４の下面に配置された上流側の通水フィルター１５の全面を通過して浄水部２４内に浸透し、浄水剤１４に均等に接触しながら浄水部２４の下方から上方へと流れ、側面上部に設けられた下流側の通水フィルター１６を通過して浄水される。この場合、第５実施形態に比べ流入した水がより均等に浄水剤１４全体に接触するため浄水剤１４の浄水能力をより効率よく使い切ることができる。
【００３６】
なお、第５、第６実施形態において隔壁２９は下流側の通水フィルター１６の配置に合わせて形成すればよい。すなわち下流側の通水フィルター１６を浄水部２４の側面上部の外周全部に配置した場合は隔壁２９も外周全部に形成され、下流側の通水フィルター１６を外周の一部のみに配置した場合には、それに合わせて隔壁１７も外周の一部のみに形成すれば足りる。また、隔壁２９は浄水剤１４の上部まで常に水に浸漬できるものであれば本実施形態の構成に限られるものではなく、例えば下流側の通水フィルター１６の下部から浄水剤１４と同等以上の高さまで斜め上方に突出するテーパ状に開いた隔壁とすることもできる。
【００３７】
次に本発明の第７実施形態を図面を参照して説明する。図９は本実施形態の浄水器を示す概略構成図であり、第５実施形態の浄水器において下流側の通水フィルター１６の配置を変えたものである。その他の構成は第５実施形態と同様であるため、説明は省略する。図９においては、上流側の通水フィルター１５は通水管２２の側面下部の少なくとも一部に配置されている。また、下流側の通水フィルター１６は浄水部２４の上面に配置されている。
【００３８】
この構成では、第５実施形態の場合と同様に浄水される水は通水孔２１及び通水管２２を通って側面下方の上流側の通水フィルター１５から浄水部２４内に浸透し、浄水剤１４にゆっくりと接触しながら浄水部２４の上面に配置された下流側の通水フィルター１６より流出するため、接触する浄水剤量を多くすることができ効率のよい浄水が可能である。また、第５、第６実施形態と同様に浄水部２４が浄水剤浸漬容器を兼ねているため、浄水剤浸漬容器を設ける必要がなく、更に下流側の通水フィルター１６を浄水部２４の上面に配置したため、浄水器２の外周部に隔壁２９を設けなくとも常に浄水剤１４を水に浸漬した状態とすることができ、浄水器２の構造がより簡易なものとなる。
【００３９】
次に本発明の第８実施形態を図面を参照して説明する。図１０は本実施形態の浄水器を示す概略構成図であり、第７実施形態の浄水器において上流側通水フィルター１５の配置を変えたものである。その他の構成は第７実施形態と同様であるため、説明は省略する。図１０においては、上流側の浄水フィルター１５は浄水部２４の底面に浄水器２の底面と所定の間隙を設けて配置され、下流側の通水フィルター１６は第７実施形態と同様に浄水部２４の上面に配置されている。
【００４０】
この構成では、浄水される水は通水孔２１及び通水管２２を通って浄水部２４の底面と浄水器２の底面との間隙全体に広がり、浄水部２４の底部に配置された上流側のフィルター１５の全面を通過して浄水部２４内に浸透し、浄水剤１４にゆっくりと均等に接触しながら浄水部２４の上面に設けられた下流側のフィルター１６を通過して浄水される。この場合、浄水される水は第６、第７実施形態の構成に比べより均等に浄水剤１４に接触するため浄水剤１４の浄水能力を効率よく使い切ることができる。また、第７実施形態と同様に浄水部２４が浄水剤浸漬容器を兼ねており、更に浄水器２の外周部に隔壁２９を必要としないため、浄水器２を簡易な構造とすることができる。
【００４１】
本発明では給水容器と着脱可能な浄水器について説明したが、給水容器が浄水器と一体構成されていてもよい。
【００４２】
また、本発明では蒸気発生器に用いられる浄水器を説明したが、本発明は水道水からミネラル分を除去する必要のある浄水器に有効であり、例えば飲料水用の浄水器にも適用できる。
【００４３】
【発明の効果】
本発明によると、水を給水する給水容器と、該給水容器の下部に位置し給水容器より給水される水を浄水する浄水剤を内部に収容した浄水部とを備えてなる浄水器において、浄水剤を水に浸漬する浄水剤浸漬容器を浄水器と一体構成し、且つ浄水された水は常に浄水剤より高い位置を通過して浄水剤浸漬容器から外部に供出されるようにしたので、浄水剤が常に水に浸漬した状態を維持することができ、浄水剤の乾燥による劣化を防ぐことができる。また、浄水剤を再生する際別途容器を必要とせず浄水器自体のメンテナンス性も向上する。
【００４４】
また、給水容器の下部より浄水部の底部に貫通し水を通水する通水管を備え、給水容器より給水される水は通水管を通って浄水部の底部に通水された後、浄水部の底部から上部に向かって浄水され、浄水剤浸漬容器は浄水部と兼用としたので、受口の側方周囲にも浄水剤の収容が可能となるため収容量が大幅に増加し、浄水効率が向上する。また、浄水される水が浄水剤により均等に接触するため、浄水剤の浄水効果を効率よく使い切ることが可能となり浄水剤の再生、交換等のメンテナンスの期間を長くし、回数を少なくすることができる。更に浄水部を浄水剤浸漬容器と兼用できるので、浄水剤浸漬容器を別途設ける必要がなく、浄水器の構造を簡素化することができる。
【００４５】
また、浄水器を給水容器と着脱自在に構成することにより、水を補給する際や浄水剤の再生，交換等の際、浄水器のみを取り外すことができ、更にメンテナンス性が向上する。
【図面の簡単な説明】
【図１】は、本発明の第１実施形態である浄水器を備えた蒸気発生器の概略図である。
【図２】は、給水容器の供給口の断面拡大図である。
【図３】は、本発明の第１実施形態である浄水器の着脱概略図である。
【図４】は、本発明の第２実施形態である浄水器の概略構成図である。
【図５】は、本発明の第３実施形態である浄水器の概略構成図である。
【図６】は、本発明の第４実施形態である浄水器の概略構成図である。
【図７】は、本発明の第５実施形態である浄水器の概略構成図である。
【図８】は、本発明の第６実施形態である浄水器の概略構成図である。
【図９】は、本発明の第７実施形態である浄水器の概略構成図である。
【図１０】は、本発明の第８実施形態である浄水器の概略構成図である。
【符号の説明】
１．給水容器
２．浄水器
１０．開閉弁
１２．受口
１４．浄水剤
１５．通水フィルター
１６．通水フィルター
１７．隔壁（浄水剤浸漬容器）
２２．通水管
２４．浄水部
２５．間隙
２９．隔壁（浄水剤浸漬容器）
【図１】
2004290841.tif 000003
【図２】
2004290841.tif 000004
【図３】
2004290841.tif 000005
【図４】
2004290841.tif 000006
【図５】
2004290841.tif 000007
【図６】
2004290841.tif 000008
【図７】
2004290841.tif 000009
【図８】
2004290841.tif 000010
【図９】
2004290841.tif 000011
【図１０】
2004290841.tif 000012